(57)【要約】【課題】就寝中の人体の肩部付近を覆うことができるとともに、他人の手助けを必要とせずに１人で容易に寝るための準備をすることが可能な寝具を提供する。【解決手段】左用寝具１０は、就寝中の人体の左肩を覆うための肩当て部を有し、右用寝具２０は、就寝中の人体の右肩を覆うための肩当て部を有する。右用寝具２０の肩当て部の上端および左用寝具１０の肩当て部の上端はそれぞれ連結紐４１、４２に連結されている。固定用具３０の固定部材３２、３３には、連結紐４１、４２の直径よりも幅が狭い溝部が設けられており、連結紐４１、４２は固定部材３２、３３により固定用具３０に脱着可能なように固定可能となっている。固定用具３０の押さえ板は、敷布団と床との間に挿入される。【選択図】図８
2014104091.tif 000002
【特許請求の範囲】
【請求項１】
就寝中の人体の右肩を覆うための肩当て部を有する右用寝具と、
就寝中の人体の左肩を覆うための肩当て部を有する左用寝具と、
前記右用寝具の肩当て部の上端に一端が連結可能な第１の紐状部材と、
前記左用寝具の肩当て部の上端に一端が連結可能な第２の紐状部材と、
一部が敷布団の下に潜り込ませるようになっている台座部と、前記第１の紐状部材の他端を脱着可能に固定する少なくとも１つ以上の第１の固定部材と、前記第２の紐状部材の他端を脱着可能に固定する少なくとも１つ以上の第２の固定部材とにより構成された固定用具と、
を有する寝具。
【請求項２】
前記第１および第２の固定部材は、前記第１および第２の紐状部材の直径よりも狭い溝部を有する請求項１記載の寝具。
【請求項３】
前記第１および第２の固定部材は、前記第１または第２の紐状部材に一定以上の張力がかかることにより前記第１または第２の紐状部材の保持状態が解放されるような保持力により、前記第１および第２の紐状部材の他端を脱着可能に固定する請求項１または２記載の寝具。
【請求項４】
前記右用寝具および前記左用寝具は、就寝中の人体の上半身のみを覆うような長さに設定されている請求項１から３のいずれか１項記載の寝具。
【請求項５】
前記右用寝具または左用寝具の肩当て部の上端以外の場所に一端が連結可能な第３の紐状部材と、
一部が敷布団の下に潜り込ませるようになっている台座部と、前記第３の紐状部材の他端を脱着可能に固定する少なくとも１つ以上の第３の固定部材とにより構成された補助固定用具をさらに有する請求項１から４のいずれか１項記載の寝具。
【請求項６】
就寝中の第１の人体の右肩を覆うための肩当て部を有する右用寝具と、
就寝中の前記第１の人体の左肩および就寝中の第２の人体の右肩を覆うための肩当て部を有する中央用寝具と、
就寝中の前記第２の人体の左肩を覆うための肩当て部を有する左用寝具と、
前記右用寝具の肩当て部の上端に一端が連結可能な第１の紐状部材と、
前記左用寝具の肩当て部の上端に一端が連結可能な第２の紐状部材と、
前記中央用寝具の肩当て部の上端に一端が連結可能な第３の紐状部材と、
一部が敷布団の下に潜り込ませるようになっている台座部と、前記第１の紐状部材の他端を脱着可能に固定する少なくとも１つ以上の第１の固定部材と、前記第２の紐状部材の他端を脱着可能に固定する少なくとも１つ以上の第２の固定部材と、前記第３の紐状部材の他端を脱着可能に固定する少なくとも１つ以上の第３の固定部材とにより構成された固定用具と、
を有する寝具。
【発明の詳細な説明】
【技術分野】
【０００１】
本発明は、掛布団や毛布、タオルケット等の寝具に関し、特に、就寝中の人体の肩部を保温するための寝具に関する。
【背景技術】
【０００２】
一般的な長方形の掛布団や毛布を使用すると、肩部の周辺において掛布団や毛布と敷布団との間に隙間が生じてしまい、この隙間から冷気が侵入したり肩部に冷気があたって肩が冷えてしまうという問題が発生する。特に東北地方や北海道、標高の高い地域では冬期の夜間における冷え込みは厳しいものがあり、就寝時に肩を冷やすと風邪をひいたり、寒くて夜中に目が覚めてしまという問題があった。
【０００３】
このような問題を解決するために、肩部に覆いを設けるようにして肩が冷気にさらされたり肩部周辺の敷布団と掛布団の隙間から冷気が侵入することを防ぐようにした毛布等の寝具が開示されている（例えば、特許文献１〜７）。
【０００４】
しかし、このような従来の寝具では、単に肩部を覆うようにしただけであるため、圧迫感等は少ないものの、寝ている間に寝返り等をした場合に、肩部が覆いから出てしまったり隙間が生じてしまう等の問題があった。
【０００５】
このような問題を解消するために、肩部を覆うための肩カバー等を枕に取り付けたり、敷き布団で押さえるようにした寝具も提案されている（例えば、特許文献８〜１０）。
【先行技術文献】
【特許文献】
【０００６】
【特許文献１】特開２００１−１７２９４号公報
【特許文献２】特開平１１−１９２１４６号公報
【特許文献３】実用新案登録第３０３２２１１号公報
【特許文献４】特開平７−２７５１０２号公報
【特許文献５】特開平７−１５５２４７号公報
【特許文献６】特開２００７−１９０１２３号公報
【特許文献７】特開２００４−７３７６７号公報
【特許文献８】実用新案登録第３１１０３８０号公報
【特許文献９】実開平７−５４６８号公報
【特許文献１０】特開平１０−２９５５１６号公報
【発明の概要】
【発明が解決しようとする課題】
【０００７】
しかし、上記のような従来の寝具では、就寝中の人体の肩部付近を覆うことが可能ではあるが、肩カバーを固定したり、敷き布団で押さえるためには非常に煩わしい手間が発生するという問題がある。また、特に、自分１人で肩カバーの装着が困難な場合には、他人の手助けが必要になり就寝の準備に非常に手間がかかってしまう。
【０００８】
例えば、上記特許文献８記載の寝具では、肩付近を包み入れる筒状部の取付部を、枕の前部上下面左右よりに取り付けるようにした寝具が開示されている。しかし、この筒状部を枕に取り付けるためには、使用者が布団に入った仰向けの状態で、頭部の後ろにおいて取付部を枕に固定する必要があり、非常に煩わしい手間が発生する。
【０００９】
また、この特許文献８記載の寝具では、肩部を筒状部により覆う必要があるため、使用者は、就寝中に肩付近の圧迫感を感じるという問題もある。
【００１０】
また、上記特許文献９記載の肩あて付き毛布では、肩を包み込むための肩あて部を敷布団にて押さええて使用するようになっている（特許文献９の図３）。しかし、この肩あて部を敷布団によって押さえるためには面ファスナーのついた肩あて部を敷布団の下に潜り込ませるような煩わしい作業を行う必要がある。例えば、仰向け状態で寝ようとした場合、手探りで肩あて部を敷布団の下に潜り込ませなければならず寝るための準備が非常に煩わしいものとなってしまう。
【００１１】
また、上記特許文献１０記載の肩布団付き枕では、右肩布面と左肩布面を有する布を枕の底面において面ファスナーにより取り付けるような構造となっている。しかし、この特許文献１０記載の肩布団付き枕は、右肩布面および左肩布面を有する布を短く構成した場合のみ実現可能な構成となっている。つまり、この右肩布面および左肩布面を有する布を、肩部をしっかりと覆うような長さ、重量、厚みのものとした場合には、右肩布面と左肩布面を有する布を枕の底面に予め取り付けてから就寝の準備をすることは非常に煩わしい手間となる。逆に、右肩布面と左肩布面を有する布を掛け布団の中に潜り込ませておいて就寝準備をする場合、使用者は、頭部の後ろにおいて右肩布面と左肩布面を有する布を枕の底面に取り付ける必要があり、この場合にも非常に煩わしい手間が発生する。
【００１２】
つまり、この特許文献１０に開示されている構成は、右肩布面および左肩布面という薄く短い布で肩を覆うような構造であることにより、実際の使用上可能な構成であり、肩部分を覆う寝具の長さ、重量、厚み等をより十分なものにした場合には、他人の手助けを必要とせずに１人で容易に寝るための準備をすることができないという問題がある。
【００１３】
上記事情に鑑み、本発明は、就寝中の人体の肩部付近を覆うことができるとともに、他人の手助けを必要とせずに１人で容易に寝るための準備をすることが可能な寝具を提供することを目的とする。
【課題を解決するための手段】
【００１４】
本発明の寝具は、就寝中の人体の右肩を覆うための肩当て部を有する右用寝具と、
就寝中の人体の左肩を覆うための肩当て部を有する左用寝具と、
前記右用寝具の肩当て部の上端に一端が連結可能な第１の紐状部材と、
前記左用寝具の肩当て部の上端に一端が連結可能な第２の紐状部材と、
一部が敷布団の下に潜り込ませるようになっている台座部と、前記第１の紐状部材の他端を脱着可能に固定する少なくとも１つ以上の第１の固定部材と、前記第２の紐状部材の他端を脱着可能に固定する少なくとも１つ以上の第２の固定部材とにより構成された固定用具とを有する。
【００１５】
本発明の寝具は、右用寝具と左用寝具というように左右が完全に分離している。そして、この右用寝具と左用寝具の肩当て部の状態に予めそれぞれ第１および第２の紐状部材を連結させておき、横になった使用者は、第１および第２の紐状部材の他端を固定用具の第１の固定部材および第２の固定部材に脱着可能なように固定するようになっている。そのため、本発明によれば、就寝しようとする使用者は、右用寝具と左用寝具をそれぞれ固定用具に固定させた後に、敷布団の上に横になってから寝るための準備をすることができるため、就寝中の人体の肩部付近を覆うことができるとともに、他人の手助けを必要とせずに１人で容易に寝るための準備をすることが可能になる。
【００１６】
また、本発明によれば、台座部の一部を敷布団の下に潜り込ませることにより就寝中の人体の重さで動かないように固定されるため、固定用具の重量を大きくすることなく右用寝具、左用寝具を確実に固定することが可能となる。
【００１７】
また、本発明の寝具では、前記第１および第２の固定部材を、前記第１および第２の紐状部材の直径よりも狭い溝部を有するようにしても良い。
【００１８】
本発明によれば、使用者は第１および第２の固定部材の溝部に第１および第２の紐状部材を嵌めるだけで容易に第１および第２の紐状部材の他端を固定用具の第１の固定部材および第２の固定部材に脱着可能なように固定することができる。
【００１９】
また、本発明の寝具では、前記第１および第２の固定部材を、前記第１または第２の紐状部材に一定以上の張力がかかることにより前記第１または第２の紐状部材の保持状態が解放されるような保持力により、前記第１および第２の紐状部材の他端を脱着可能に固定するようにしても良い。
【００２０】
本発明によれば、使用者が寝返り等を行って万が一第１または第２の紐状部材が使用者の体にひっかかったような場合でも、第１または第２の紐状部材の保持状態が解放されるため、使用者の人体に損傷を与えるような事態の発生を防ぐことが可能である。
【００２１】
また、本発明の寝具では、前記右用寝具および前記左用寝具を、就寝中の人体の上半身のみを覆うような長さに設定するようにしても良い。
【００２２】
本発明によれば、右用寝具、左用寝具が上半身のみを覆うような長さに設定されていることにより自分の体に右用寝具、左用寝具を被せることがより簡単になるため、他人の手を借りることなく１人でより容易に寝るための準備をすることができるようになる。
【００２３】
また、本発明の寝具は、前記右用寝具または左用寝具の肩当て部の上端以外の場所に一端が連結可能な第３の紐状部材と、
一部が敷布団の下に潜り込ませるようになっている台座部と、前記第３の紐状部材の他端を脱着可能に固定する少なくとも１つ以上の第３の固定部材とにより構成された補助固定用具をさらに有するようにしても良い。
【００２４】
本発明によれば、右用寝具または左用寝具の肩当て部の上端だけでなく、右用寝具または左用寝具の側方部分等をさらに固定することにより使用者が就寝中に動くことにより寝具がめくれるような事態の発生を防ぐことが可能となる。
【００２５】
さらに、本発明の寝具では、前記固定用具を、
一部が敷布団の下に潜り込ませるようになっている台座部と、
弾性部材により前記台座部に対して押し付けられるように付勢された第１および第２の固定部材とにより構成し、
前記第１の固定部材は、前記右用寝具の肩当て部の上端を前記台座部に固定し、前記第２の固定部材は前記左用寝具の肩当て部の上端を前記台座部に固定するようにしても良い。
【００２６】
また、本発明の他の寝具は、就寝中の第１の人体の右肩を覆うための肩当て部を有する右用寝具と、
就寝中の前記第１の人体の左肩および就寝中の第２の人体の右肩を覆うための肩当て部を有する中央用寝具と、
就寝中の前記第２の人体の左肩を覆うための肩当て部を有する左用寝具と、
前記右用寝具の肩当て部の上端に一端が連結可能な第１の紐状部材と、
前記左用寝具の肩当て部の上端に一端が連結可能な第２の紐状部材と、
前記中央用寝具の肩当て部の上端に一端が連結可能な第３の紐状部材と、
一部が敷布団の下に潜り込ませるようになっている台座部と、前記第１の紐状部材の他端を脱着可能に固定する少なくとも１つ以上の第１の固定部材と、前記第２の紐状部材の他端を脱着可能に固定する少なくとも１つ以上の第２の固定部材と、前記第３の紐状部材の他端を脱着可能に固定する少なくとも１つ以上の第３の固定部材とにより構成された固定用具とを有する。
【００２７】
本発明は、２人の使用者が１つの寝具を共用して就寝する、いわゆるダブルの寝具に適用したものであり、シングルの寝具と同様に、他人の手助けを必要とせずに１人で容易に寝るための準備をすることが可能になる。
【発明の効果】
【００２８】
本発明によれば、就寝中の人体の肩部付近を覆うことができるとともに、他人の手助けを必要とせずに１人で容易に寝るための準備をすることが可能な寝具を提供することができる。
【図面の簡単な説明】
【００２９】
【図１】本発明の第１の実施形態の寝具の構成を示す図である。
【図２】図１中の右用寝具２０の構成を示す図（図２（Ａ））および、左用寝具１０の構成を示す図（図２（Ｂ））である。
【図３】図１中の固定用具３０の構成を説明するための図である。
【図４】固定用具３０において、押さえ板３４、３５が台座部３１の下側に収納されている状態を示す図である。
【図５】固定部材３２、３３の構成を説明するための図である。
【図６】連結紐４１、４２の構成を説明するための図である。
【図７】連結紐４１、４２を固定部材３２、３３に固定する際の様子を説明するための図である。
【図８】本発明の第１の実施形態の寝具を実際に使用した際の様子を説明するための斜視図である。
【図９】図８の斜視図におけるＡ−Ａ’面の断面図である
【図１０】本発明の第２の実施形態の寝具の構成を示す図である。
【図１１】図１０中の中央用寝具７０の構成を示す図である。
【図１２】図１０中の固定用具８０の構成を説明するための図である。
【図１３】本発明の第２の実施形態の寝具を実際に使用した際の様子を説明するための斜視図である。
【図１４】本発明の第３の実施形態の寝具を実際に使用した際の様子を説明するための斜視図である。
【図１５】図１４中の補助固定用具１１１の構成を説明するための図である。
【図１６】就寝中の人体の全身を覆うような長さに設定された左用寝具１３１、右用寝具１３２の構成を示す図である。
【発明を実施するための形態】
【００３０】
次に、本発明の実施の形態について図面を参照して詳細に説明する。
【００３１】
（第１の実施形態）
先ず、本発明の第１の実施形態の寝具について説明する。図１は本発明の一実施形態の寝具を示す図である。
【００３２】
本実施形態の寝具は、図１に示されるように、左用寝具１０と、右用寝具２０と、固定用具３０と、連結紐（紐状部材）４１、４２とから構成されている。
【００３３】
左用寝具１０は、就寝中の人体の左肩を覆うための肩当て部を有し、右用寝具２０は、就寝中の人体の右肩を覆うための肩当て部を有する。なお、この左用寝具１０、右用寝具２０の構成の詳細については後述する。
【００３４】
また、連結紐４１、４２は、左用寝具１０または右用寝具２０の肩当て部の上端に一端が連結可能な構成となっている。図１では、連結紐４１は右用寝具２０の肩当て部の上端に一端が連結され、連結紐４２は左用寝具１０の肩当て部の上端に一端が連結されている。なお、この連結紐４１、４２が、左用寝具１０または右用寝具２０の肩当て部の上端とどのようにして連結されるのかについては後述する。
【００３５】
固定用具３０は、連結紐４１、４２の他端をそれぞれ脱着可能なように固定するような構成となっている。この固定用具３０の構成の詳細についても後述する。
【００３６】
先ず、左用寝具１０、右用寝具２０の構成の詳細を図２を参照して説明する。図２（Ａ）は右用寝具２０を示し、図２（Ｂ）は左用寝具１０を示している。
【００３７】
図２（Ａ）に示されるように、右用寝具２０には、就寝中の人体の右肩を覆うための肩当て部２１が設けられている。また、図２（Ｂ）に示されるように、左用寝具１０には、就寝中の人体の左肩を覆うための肩当て部１１が設けられている。
【００３８】
そして、この右用寝具２０および左用寝具１０は、それぞれ、就寝中の人体の上半身のみを覆うような長さに設定されている。このように就寝中の人体の全身を覆う長さではなく、上半身のみを覆うような長さに設定されていることにより、寝ようとして敷布団の上に横になっている使用者が自分１人で身づくろいをして寝るための準備をすることが容易になる。
【００３９】
また、この左用寝具１０、右用寝具２０の肩当て部１１、２１の上端や、左用寝具１０、右用寝具２０の側部には、連結紐４１、４２が連結可能なように連結紐４１、４２のボタンを留めるための紐が設けられている。そして、このボタンを留めるための紐が上端や側部の多くの部分に設けられているため、使用者は任意の場所に連結紐４１、４２を連結することが可能となっている。なお、このタンを留めるための紐が左用寝具１０、右用寝具２０の側方にも設けられている理由については後述する。
【００４０】
この右用寝具２０および左用寝具１０は、羊毛や木綿からなるいわゆる毛布のような生地により構成しても良いし、中綿の入ったキルティングのような材料により構成するようにしてもよい。また、右用寝具２０および左用寝具１０は、タオルケットのような薄い生地により構成することも可能である。
【００４１】
例えば、気温の高い夏場には、右用寝具２０および左用寝具１０をタオルケットにより構成することにより、肩が冷えることを防止するようにし、気温の低い冬場には、右用寝具２０および左用寝具１０を、中綿の入った厚めの生地により構成することにより肩が冷えることを防止するようにすればよい。
【００４２】
次に、図１中に示した固定用具３０の構成を図３、図４を参照して説明する。
【００４３】
この固定用具３０は、図３に示されるように、台座部３１と、この台座部３１の上面に設けられた８つの固定部材３２と、８つの固定部材３３と、台座部３１の下面に設けられた押さえ板３４、３５とから構成されている。
【００４４】
台座部３１は、例えば、薄い樹脂や木製の板により構成されている。そして、固定部材３２、３３は、連結紐４１、４２の他端を脱着可能に固定するような構成となっている。なお、本実施形態では、固定部材３２、３３はそれぞれ８つずつ固定用具３０に設けられているものとして説明しているが、固定部材３２、３３はそれぞれ少なくとも１つ以上設けられていれば連結紐４１、４２を固定可能である。
【００４５】
また、押さえ板３４、３５は、固定用具３０の下面に回転可能に設けられている。そのため、使用しない場合には、回転させて台座部３１から外に飛び出さないように収納しておき、使用する場合には回転させて台座部３１の外側に突出させることが可能な構成となっている。押さえ板３４、３５が台座部３１の下側に収納されている状態を図４に示す。
【００４６】
そして、この押さえ板３４、３５は、敷布団の下に潜り込ませるようにして使用される。なお、この押さえ板３４、３５と台座部３１を別々に構成することなく一体の構成としても良い。このような場合には、台座部３１の一部が敷布団の下に潜り込ませるようになっていることとなる。また、台座部３１を薄い板により構成して長い板状とすれば、台座部３１自体を敷布団の下に潜り込ませるようにすることも可能である。
【００４７】
本実施形態の寝具では、押さえ板３４、３５を敷布団の下に潜り込ませることにより、就寝中の使用者の体重により敷布団と床との間で押さえ板３４、３５が固定されるため、固定用具３０に大きな重量を持たせることなく固定用具３０を動かないようにすることが可能となる。
【００４８】
次に、固定部材３２、３３の構成について図面を参照して詳細に説明する。固定部材３２、３３は、図５に示されるように、同じ構造となっている。そして、固定部材３２、３３は、連結紐４１、４２の直径よりも狭い溝部を有している。例えば、連結紐４１、４２の直径が３ｍｍの場合、固定部材３２、３３には幅が２．８ｍｍ程度の溝部が設けられる。なお、この溝部の入り口の幅は連結紐４１、４２が抵抗無く通過可能なように例えば幅３ｍｍ以上となっている。
【００４９】
なお、ここでは、固定部材３２、３３は、固定用具３０に設けられたダボ穴等に埋め込まれるような構造であるものとして説明するが、固定用具３０に接着されたり、固定用具３０と一体成型されるような構造であっても良い。
【００５０】
次に、連結紐４１、４２の構成について図面を参照して詳細に説明する。連結紐４１、４２は、図６に示されるように、同じ構造となっている。そして、連結紐４１、４２は、それぞれ、一端にはボタンが接続されたゴム紐のような構造となっている。このボタンは左用寝具１０や右用寝具２０のボタンを留めるための紐に、連結紐４１、４２を連結させるために設けられている。そして、本実施形態では、この連結紐４１、４２の紐部分の直径は３ｍｍ（φ３）であるものとして説明する。
【００５１】
そして、連結紐４１、４２および固定部材３２、３３が上記のような構成となっていることにより、横になった使用者は、連結紐４１、４２を、固定部材３２、３３の溝部に押し込むことにより、連結紐４１、４２を固定部材３２、３３に容易に固定することが可能である。
【００５２】
次に、連結紐４１、４２を固定部材３２、３３に固定する際の様子を図７を参照して説明する。図７では、連結紐４１を固定部材３２に固定する場合を用いて説明する
【００５３】
図７（Ａ）に示すように、固定部材３２の溝部が設けられた入り口は、連結紐４１が通過可能なような幅となっているため、連結紐４１は抵抗を受けることなく容易に溝部まで到達する。そして、図７（Ｂ）に示すように、溝部の幅は連結紐４１の直径３ｍｍよりも狭い２．８ｍｍとなっているため、連結紐４１は溝部に押し込まれることにより多少変形する。つまり、連結紐４１が溝部に押し込まれることにより連結紐４１は、固定部材３２の溝部において固定されることになる。
【００５４】
なお、連結紐４１は固定部材３２の溝部における摩擦力により保持されるため、固定部材３２は、連結紐４１に一定以上の張力がかかることにより連結紐４１の保持状態が解放されるような保持力により、連結紐４１の他端を脱着可能に固定する。
【００５５】
このような構成とすることにより、本実施形態の寝具によれば、使用者が寝返り等を行って万が一連結紐４１、４２が使用者の体にひっかかったような場合でも、連結紐４１、４２の保持状態が解放されるため、使用者の人体に損傷を与えるような事態の発生を防ぐことが可能である。
【００５６】
さらに、本実施形態では、固定部材３２、３３は、それぞれ８つずつ固定用具３０に設けられているため、固定力が弱いと感じる使用者は、連結紐４１、４２を複数の固定部材３２、３３により固定するようにすれば所望の固定力を得ることが可能である。
【００５７】
次に、本実施形態の寝具を実際に使用した際の様子を図８の斜視図を参照して説明する。
【００５８】
図８に示されるように、敷布団９０の上に横になった使用者の左肩は左用寝具１０により覆われ、右肩は右用寝具２０により覆われている。そして、この左用寝具１０、右用寝具２０はそれぞれ連結紐４１、４２に連結されて、この連結紐４１、４２は、固定部材３２、３３により固定用具３０に固定されている。そして、左用寝具１０と右用寝具２０は、就寝中の使用者の中央付近で重なり合っている。そして、夏場等以外の例えば冬場の季節であれば、さらにこの上に点線で示されたように掛布団５０が掛けられて使用される。なお、この図５では、説明を分かり易くするために、掛布団５０を点線にて示している。
【００５９】
本実施形態の寝具によれば、就寝中の使用者の両肩は、左用寝具１０、右用寝具２０の肩当て部により覆われているため、冷たい外気にさらされることなく保温することが可能となっている。また、本実施形態の寝具によれば、この左用寝具１０、右用寝具２０は、固定用具３０に固定されているため、就寝中の使用者が寝返りを打った場合でも、ずれてしまうようなことはない。さらに、この左用寝具１０、右用寝具２０は、就寝中の使用者の肩部を上から覆っているだけであるため、不必要な圧迫感を与えることがない。
【００６０】
なお、実際に就寝しようとする使用者が寝る準備を行う場合には、先ず、敷布団９０を敷いて、固定用具３０を所定の位置にセットする。そして、左用寝具１０および右用寝具２０に連結紐４１、４２を連結して、固定部材３２、３３により固定用具３０に固定する。そして、掛布団５０を足元の辺りに半分折りにして準備しておく。
【００６１】
この状態で就寝しようとする使用者は、先ず足を掛布団５０の中に入れ敷布団９０の上に横になった状態で、左用寝具１０および右用紙寝具２０を手にとって自分の体の上に掛けるようにする。この際、左用寝具１０および右用紙寝具２０は既に固定用具３０に固定されているため、使用者は単に、左用寝具１０および右用紙寝具２０を引っ張るようにして自分の体の上に掛けるだけでよい。
【００６２】
最後に、使用者は、足元に半分折りにしてあった掛布団５０を上半身の上に掛けるようにすることにより、図８に示すような就寝のための準備が完了する。
【００６３】
なお、連結紐４１、４２を右用寝具２０および左用寝具１０と連結させておけば、連結紐４１、４２を固定部材３２、３３に予め固定させておくことなく、掛け布団５０に入った使用者が右用寝具２０左用寝具１０を自分の肩の上に掛け、寝たままの状態で連結紐４１、４２を固定部材３２、３３に固定させることも可能である。
【００６４】
上記で説明した理由により、本実施形態の寝具によれば、就寝中の人体の肩部付近を覆うことができるとともに、他人の手助けを必要とせずに１人で容易に寝るための準備をすることが可能になる。
【００６５】
また、図８の斜視図におけるＡ−Ａ’面の断面図を図９に示す。図９を参照すると、固定用具３０に固定された左用寝具１０が就寝中の使用者の肩を覆うようにして上半身に掛けられているのが分かる。
【００６６】
そして、固定用具３０の押さえ板３４は敷布団９０に下に潜り込むように挿入されているのが分かる。そして、左用寝具１０が連結紐４２を介して固定用具３０の固定部材３２により固定されている。この左用寝具１０は就寝中の使用者の左肩とともに上半身を覆っている。
【００６７】
上記で説明したように、本実施形態の寝具によれば、左用寝具１０および右用寝具２０は、ともに固定用具３０に固定されている。そのため、枕に肩あて部を固定するような従来の寝具と比較して、固定するための手段が設けられた専用の枕を用意したり、枕に固定するための加工を行う必要がない。その結果、本実施形態の寝具によれば、何の加工等をすることなく各自の枕や一般的な枕をそのまま使用することが可能となる。また、同様の理由により、本実施形態の寝具によれば、敷布団にもいかなる加工も行う必要が無いため、一般的な敷布団をそのまま使用することが可能である。
【００６８】
また、本実施形態では、畳等の上に敷布団を敷くような場合を用いて説明しているが、ベット上に敷く寝具に対しても同様に本発明を適用することができる。また、ベッド上に敷く寝具に対して本発明を適用する場合には、ベッドに固定部材３２、３３を直接設けることができるような構造となっていれば、固定用具を用いることなく連結紐４１、４２を固定部材３２、３３を介してベッドに直接固定することも可能である。
【００６９】
そして、本実施形態の寝具では、左右用の寝具がそれぞれ独立しているため、例えば、病院や各種介護施設等において横になった状態の病人や要介護者のケアや介護を行う際に、側面からの作業を容易に行うことが可能となる。つまり、左側からケヤや介護を行う場合には、左用寝具のみをめくるようにすれば良く、右側からケヤや介護を行う場合には、右用寝具のみをめくるようにすれば良いからである。
【００７０】
さらに、本実施形態の寝具は、使用対象者のサイズに合わせて各種寸法を設定することが可能であり、例えば、子供用、幼児用、使用者の体格、身長等により様々なサイズに設定することが可能である。
【００７１】
（第２の実施形態）
次に、本発明の第２の実施形態の寝具について説明する。上記で説明した第１の実施形態の寝具は、１人の使用者のみが使用する、いわゆるシングルの寝具に対して本発明を適用したものであった。これに対して、本発明の第２の実施形態は、２人の使用者が１つの寝具を共用して就寝する、いわゆるダブルの寝具に対して本発明を適用したものである。
【００７２】
本実施形態の寝具は、図１０に示すように、左用寝具１０と、右用寝具２０と、中央用寝具７０と、固定用具８０と、連結紐４１〜４３とから構成されている。なお、図１０中において、図１中の構成要素と同じものについては同じ符号を用いている。
【００７３】
本実施形態の寝具は、２人の使用者により使用されるため、この２人の使用者をそれぞれ、第１の人体、第２の人体として表現する。
【００７４】
左用寝具１０および右用寝具２０は、上記で説明した第１の実施形態におけるものと同一のものとなっている。そして、右用寝具２０の肩当て部は、就寝中の第１の人体の右肩を覆い、左用寝具１０の肩当て部は、就寝中の第２の人体の左肩を覆う。
【００７５】
そして、中央用寝具７０は、就寝中の第１の人体の左肩および就寝中の第２の人体の右肩を覆うための肩当て部を有する。この中央用寝具７０の詳細な構成については後述する。
【００７６】
本実施形態の寝具では、連結紐４１は右用寝具２０の肩当て部の上端に一端が連結され、連結紐４２は左用寝具１０の肩当て部の上端に一端が連結されている。また、連結紐４３は、中央用寝具７０の肩当て部の上端に一端が連結されている。
【００７７】
そして、本実施形態の寝具における固定用具８０は、連結紐４１〜４３の他端をそれぞれ脱着可能なように固定するような構成となっている。
【００７８】
先ず、図１０中に示した中央用寝具７０の構成を図１１を参照して説明する。
【００７９】
中央用寝具７０には、図１１に示すように、就寝中の第１の人体の左肩および就寝中の第２の人体の右肩を覆うための肩当て部７１が設けられている。なお、この中央用寝具７０の材質等の構成については、左用寝具１０および右用寝具２０と同様であるため、その説明は省略する。
【００８０】
次に、図１０中に示した固定用具８０の構成を図１２を参照して説明する。
【００８１】
本実施形態における固定用具８０は、図１２に示されるように、台座部８１と、この台座部８１の上面にそれぞれ８つずつ設けられた固定部材３２、３３、８２と、台座部８１の下面に設けられた押さえ板３４、３５とから構成されている。
【００８２】
本実施形態における固定用具８０は、図３に示した第１の実施形態における固定用具３０に対して、横方向の長さを長くするとともに、８つの固定部材８２が中央に設けられた点が異なっている。
【００８３】
そして、この固定部材８２は、固定部材３２、３３と同様な構成となっており、連結紐４３の他端を脱着可能なように固定する。図１２中に示した固定部材３２、３３、押さえ板３４、３５の構成および機能は、図３に示したものと同様であるためその説明は省略する。
【００８４】
次に、本実施形態の寝具を実際に使用した際の様子を図１３の斜視図を参照して説明する。
【００８５】
図１３に示されるように、敷布団９１の上に横になった使用者（第２の人体）１０２の左肩は左用寝具１０により覆われ、別の使用者（第１の人体）１０１の右肩は右用寝具２０により覆われている。そして、第２の人体１０２の右肩および第１の人体１０１の左肩は、中央用寝具７０により覆われている。そして、この左用寝具１０、右用寝具２０、中央用寝具７０は、それぞれ連結紐４１〜４３が連結され、この連結紐４１〜４３は、固定用具８０に固定部材３２、３３、８２により固定されている。そして、左用寝具１０、右用寝具２０と中央用寝具７０とは、就寝中の２人の使用者（第１および第２の人体）１０１、１０２の中央付近でそれぞれ重なり合っている。
【００８６】
本実施形態の寝具によっても、上記で説明した第１の実施形態の寝具と同様に、就寝中の２人の使用者の肩部付近を覆うことができるとともに、他人の手助けを必要とせずにそれぞれ各自で寝るための準備を容易にすることが可能となる。
【００８７】
（第３の実施形態）
【００８８】
次に、本発明の第３の実施形態の寝具について説明する。上記で説明した第１および第２の実施形態の寝具は、左用寝具１０、右用寝具２０の上端、または中央用寝具７０の上端を固定用具３０、８０に固定するものであったが、本実施形態の寝具では、さらに左用寝具１０、右用寝具２０の上端、または中央用寝具７０の側方を固定可能とする構成である。
【００８９】
なお、以下の説明では図８に示したシングルの寝具に対して本発明を適用した場合を用いて説明する。
【００９０】
本実施形態の寝具を実際に使用した際の様子を図１４の斜視図に示す。図１４に示した本実施形態の寝具では、図８に示した第１の実施形態における寝具に対して、補助固定用具１１１、１１２および連結紐１１３、１１４が追加された構成となっている。
【００９１】
連結紐１１３は、右用寝具２０の側方に連結され、連結紐１１４は、左用寝具１０の側方に連結されている。そして、連結紐１１３、１１４は、それぞれ、補助固定用具１１１、１１２に脱着可能なように固定されている。本実施形態における連結紐１１３、１１４は、上記の実施形態において説明した連結紐４１〜４３と同様な構成であるためのその説明は省略する。
【００９２】
次に、図１４中に示した補助固定用具１１１、１１２の構成について説明する。補助固定用具１１２は補助固定用具１１１同様な構成であるため、図１５を参照して補助固定用具１１１の構成を説明する。
【００９３】
補助固定用具１１１は、図１５に示されるように、台座部１２２と、この台座部１２２の上面に設けられた４つの固定部材１２１と、台座部１２２の下面に設けられた押さえ板１２０とから構成されている。
【００９４】
ここで固定部材１２の構成は、上記で説明した固定部材３２、３３、８２と同様の構成である。また、押さえ板１２０は、上記で説明した押さえ板３４、３５と同じ目的で設けられ、この押さえ板を敷布団の下に潜り込ませることにより、就寝中の使用者の体重により敷布団と床との間で押さえ板１２０が固定されるため、固定用具１１１に大きな重量を持たせることなく固定用具１１１を動かないようにすることが可能となる。
【００９５】
本実施形態の寝具によれば、右用寝具２０および左用寝具１０の肩当て部の上端だけでなく、右用寝具２０および左用寝具１０の側方部分等をさらに固定することにより使用者が就寝中に動くことにより寝具がめくれるような事態の発生を防ぐことが可能となる。
【００９６】
[変形例]
上記実施形態では、左用寝具１０、右用寝具２０および中央用寝具７０は、就寝中の人体の上半身のみを覆うような長さに設定されているものとして説明しているが、就寝中の人体の全身を覆うような長さに設定することも可能である。例えば、左用寝具１０、右用寝具２０を、図１６に示すような、左用寝具１３１、右用寝具１３２に置き換えることも可能である。このように就寝中の人体の全身を覆うような長さにする場合には、左用寝具１３１、右用寝具１３２の下端にもボタンを留めるための紐を設けることにより、補助固定用具１１１、１１２を用いて左用寝具１３１、右用寝具１３２がめくれることを防ぐようにすることもできる。
【００９７】
また、上記実施形態では、固定部材３２、３３、８２により、左用寝具１０、右用寝具２０、中央用寝具７０の上端に連結された連結紐４１〜４４を固定する場合を用いて説明したが、本発明はこれに限定されるものではなく、左用寝具１０、右用寝具２０、中央用寝具７０を固定可能な構成であれば、例えば、ホック、ボタン、面ファスナー、磁石、バインダー等の他の固定部材により固定する場合でも同様に本発明を適用することができるものである。
【００９８】
また、連結紐４１〜４３は、それぞれ、ボタンにより左用寝具１０、右用寝具２０、中央用寝具７０の上端に連結されるような構成であったが、左用寝具１０、右用寝具２０、中央用寝具７０と一体の構成となっていても良い。
【符号の説明】
【００９９】
１０    左用寝具
１１    肩当て部
２０    右用寝具
２１    肩当て部
３０    固定用具
３１    台座部
３２、３３    固定部材
３４、３５    押さえ板
４１〜４３    連結紐
５０、５１    掛布団
６０    枕
７０    中央用寝具
７１    肩当て部
８０    固定用具
８１    台座部
８２    固定部材
９０、９１    敷布団
１０１    使用者（第１の人体）
１０２    別の使用者（第２の人体）
１１１、１１２    補助固定用具
１１３、１１４    連結紐
１２０    押さえ板
１２１    固定部材
１２２    台座部
１３１    左用寝具
１３２    右用寝具
【図１】
2014104091.tif 000003
【図２】
2014104091.tif 000004
【図３】
2014104091.tif 000005
【図４】
2014104091.tif 000006
【図５】
2014104091.tif 000007
【図６】
2014104091.tif 000008
【図７】
2014104091.tif 000009
【図８】
2014104091.tif 000010
【図９】
2014104091.tif 000011
【図１０】
2014104091.tif 000012
【図１１】
2014104091.tif 000013
【図１２】
2014104091.tif 000014
【図１３】
2014104091.tif 000015
【図１４】
2014104091.tif 000016
【図１５】
2014104091.tif 000017
【図１６】
2014104091.tif 000018